(57)【特許請求の範囲】
【請求項１】
動画画像を構成するフレーム映像データからなり外部から入力される一つまたは複数の撮像映像信号を、順次受け付けて既撮像映像信号群として記憶する記憶器と、
前記記憶器に記憶されている前記既撮像映像信号群の次に外部から入力される現撮像映像信号と、前記記憶器が記憶している前記既撮像映像信号群とを、動画画像として互いに対応付けて連続的に出力する選択器と、
前記選択器の出力を動画画像に変換して表示する表示器と、
前記表示器の表示状態に対する操作者の認否入力を受け付ける操作器と、
前記操作器に対する操作者の認否入力を受けて前記現撮像映像信号を、動画画像として前記既撮像映像信号群に対応付けた状態で前記記憶器に書き込む操作を行う制御器と、
を備えている映像信号処理装置。
【請求項２】
前記記憶器に記憶されている前記既撮像映像信号群を記録媒体に記録する記録器をさらに備えており、
前記制御器は、前記既撮像映像信号群を、前記記憶器から読み出して前記記録器において前記記録媒体に記録する制御をさらに行うものである、
請求項１に記載の映像信号処理装置。
【請求項３】
動画画像を構成するフレーム映像データからなり外部から入力される一つまたは複数の撮像映像信号を、順次受け付けて既撮像映像信号群として記憶する記憶器と、
前記記憶器に記憶されている前記既撮像映像信号群の次に外部から入力される現撮像映像信号を、前記記憶器が記憶している前記既撮像映像信号群に加算する加算器と、
前記加算器の加算結果を画像に変換して表示する表示器と、
前記表示器の表示状態に対する操作者の認否入力を受け付ける操作器と、
前記操作器に対する操作者の認否入力を受けて前記現撮像映像信号を、動画画像として前記既撮像映像信号群に対応付けた状態で前記記憶器に書き込む操作を行う制御器と、
を備えている映像信号処理装置。
【請求項４】
動画画像を構成するフレーム映像データからなる撮像信号を連続的または断続的に撮像する撮像器と、
前記撮像器が出力する一つまたは複数の前記撮像映像信号を順次受け付けて既撮像映像信号群として記憶する記憶器と、
前記記憶器に記憶されている前記既撮像映像信号群の次に前記撮像器が出力する現撮像映像信号と、前記記憶器が出力する前記既撮像映像信号群とを、動画画像として互いに対応付けて連続的に出力する選択器と、
前記選択器の出力を動画画像に変換して表示する表示器と、
前記表示器の表示状態に対する操作者の認否入力を受け付ける操作器と、
前記操作器に対する操作者の認否入力を受けて前記現撮像映像信号を、動画画像として前記既撮像映像信号群に対応付けた状態で前記記憶器に書き込む操作を行う制御器と、
を備えているビデオカメラ。
【請求項５】
前記記憶器に記憶されている前記既撮像映像信号群を記録媒体に記録する記録器をさらに備えており、
前記制御器は、前記既撮像映像信号群を、前記記憶器から読み出して前記記録器において前記記録媒体に記録する制御をさらに行うものである、
請求項４に記載のビデオカメラ。
【請求項６】
動画画像を構成するフレーム映像データからなる映像信号を連続的または断続的に撮像する撮像器と、
前記撮像器が出力する一つまたは複数の撮像映像信号を順次受け付けて既撮像映像信号群として記憶する記憶器と、
前記記憶器に記憶されている前記既撮像映像信号群の次に前記撮影器が出力する現撮像映像信号と、前記記憶器が出力する前記既撮像映像信号群とを加算する加算器と、
前記加算器の加算結果を画像に変換して表示する表示器と、
前記表示器の表示状態に対する操作者の認否入力を受け付ける操作器と、
前記操作器に対する操作者の認否入力を受けて前記現撮像映像信号を、動画画像として前記既撮像映像信号群に対応付けた状態で前記記憶器に書き込む操作を行う制御器と、
を備えているビデオカメラ。
【請求項７】
前記選択器と前記制御器とは、前記既撮像映像信号群の時間的端部に前記現撮像映像信号を配置することで、前記現撮像映像信号と前記既撮像映像信号群とを、動画画像として互いに対応付けるものである、
請求項１に記載の映像信号処理装置。
【請求項８】
前記選択器と前記制御器とは、前記既撮像映像信号群の一部を構成する既撮像映像信号を前記現撮像映像信号に入れ替えることで、前記現撮像映像信号と前記既撮像映像信号群とを、動画画像として互いに対応付けるものである、
請求項１に記載の映像信号処理装置。
【請求項９】
前記制御器は、前記既撮像映像信号群の時間的端部に前記現撮像映像信号を配置することで、前記現撮像映像信号と前記既撮像映像信号群とを、動画画像として互いに対応付けるものである、
請求項３に記載の映像信号処理装置。
【請求項１０】
前記制御器は、前記既撮像映像信号群の一部を構成する既撮像映像信号を前記現撮像映像信号に入れ替えることで、前記現撮像映像信号と前記既撮像映像信号群とを、動画画像として互いに対応付けるものである、
請求項３に記載の映像信号処理装置。
【請求項１１】
前記選択器と前記制御器とは、前記既撮像映像信号群の時間的端部に前記現撮像映像信号を配置することで、前記現撮像映像信号と前記既撮像映像信号群とを、動画画像として互いに対応付けるものである、
請求項４に記載のビデオカメラ。
【請求項１２】
前記選択器と前記制御器とは、前記既撮像映像信号群の一部を構成する既撮像映像信号を前記現撮像映像信号に入れ替えることで、前記現撮像映像信号と前記既撮像映像信号群とを、動画画像として互いに対応付けるものである、
請求項４に記載のビデオカメラ。
【請求項１３】
前記制御器は、前記既撮像映像信号群の時間的端部に前記現撮像映像信号を配置することで、前記現撮像映像信号と前記既撮像映像信号群とを、動画画像として互いに対応付けて連続的に出力するものである、
請求項６に記載のビデオカメラ。
【請求項１４】
前記制御器は、前記既撮像映像信号群の一部を構成する既撮像映像信号を前記現撮像映像信号に入れ替えることで、前記現撮像映像信号と前記既撮像映像信号群とを、動画画像として互いに対応付けるものである、
請求項６に記載のビデオカメラ。
【請求項１５】
前記記憶器に記憶されている既撮像映像信号群を記録媒体に記録する記録器をさらに備えており、
前記制御器は、前記既撮像映像信号群を、前記記憶器から読み出して前記記録器において前記記録媒体に記録する制御をさらに行うものである、
請求項３に記載の映像信号処理装置。
【発明の詳細な説明】
【０００１】
【発明の属する技術分野】
本発明は、アニメーション撮影などに用いられる映像信号処理装置およびビデオカメラに関する。
【０００２】
【従来の技術】
従来から、粘土細工物を用いたアニメーション撮影といった特殊撮影に好適に用いることができるビデオカメラや映像信号処理装置が開発されている。このビデオカメラや映像信号処理装置では次のようにしてアニメーション撮影を行う。まず、被写体の動きを１フレーム時間位置毎に解析する。解析した各フレーム時間位置毎の被写体のポーズを被写体で具現化する。ポーズの具現化は粘土細工などの成形により行う。具現化した各フレーム時間位置毎の被写体のポーズを撮影する。撮像して得られた映像信号を１フレーム分毎にビデオテープ等の記録媒体に記録する。以下、このような撮影記録をフレーム撮影記録という。
【０００３】
動きの解析においては、１フレーム時間前のポーズから被写体がどの程度動くかを見極めることが重要となる。動きの見極めは経験と勘とで推測する。撮影後、表示画面上において被写体の動きがおかしいと判断する場合には、撮影のやり直しや編集による加工修正作業を行う。
【０００４】
撮影のやり直しや編集を減らすためには、撮影時において被写体の動きの連続性を精度高く把握する必要がある。そこで次のような工夫が施される。ビデオテープを再生して得られた複数のフレーム画像からなるアニメーション映像をモニタ表示器に間欠的に表示する。表示中のモニタ表示器の画面上において各ポーズにおける被写体の同一箇所に目印をつける。撮影者や成形担当者（以下、総称して撮影者という）は目印印加により各ポーズ間の動きの方向性と量とを計測してその動きを定量的に把握する。
【０００５】
【発明が解決しようとする課題】
しかしながら、このようにして行う従来のフレーム撮影記録においても、被写体の動きについてその方向性と量とを精度高く一定に維持するためには、撮影者は非常に高い熟練を要する。ある程度熟練した撮影者が作製したアニメーション映像であっても、その映像を連続表示（通常表示）させると、動きの方向性と量とのいずれかにばらつきが出て動きが不連続となる失敗が多々生じる。そのため、スムーズな動きの映像を得るためには部分的な撮り直しや編集が頻繁に生じるのは避けられない。
【０００６】
本発明は、経験の少ないユーザでも、簡単にかつ精度良くフレーム撮影記録ができるようにすることを目的とする。
【０００７】
【課題を解決するための手段】
（１）本発明の映像処理装置やビデオカメラは、動画画像を構成するフレーム映像データからなり外部から入力される一つまたは複数の撮像映像信号を、順次受け付けて既撮像映像信号群として記憶する記憶器と、前記記憶器に記憶されている前記既撮像映像信号群の次に外部から入力される現撮像映像信号と、前記記憶器が記憶している前記既撮像映像信号群とを、動画画像として互いに対応付けて連続的に出力する選択器と、前記選択器の出力を動画画像に変換して表示する表示器と、前記表示器の表示状態に対する操作者の認否入力を受け付ける操作器と、前記操作器に対する操作者の認否入力を受けて前記現撮像映像信号を、動画画像として前記既撮像映像信号群に対応付けた状態で前記記憶器に書き込む操作を行う制御器とを備えている。
【０００８】
このように構成された映像信号処理装置やビデオカメラは次のように機能する。すなわち、既撮像映像信号群と現撮像映像信号との画像上での差を簡単に認可して、動きの方向性と量とを明確に計測することができる。その結果、動きの方向性と量とを精度よく一定にして被写体の構図を決めることができる。したがって、撮影において、動作の連続性が損なわれるような失敗を減らすこともできる。これにより、経験の少ないユーザでも、簡単にかつ精度良く１フレーム毎の撮影を行うことができ作業効率が向上する。このように本発明の映像信号処理装置によれば、従来の映像信号処理装置のように経験と勘とに基づいて被写体の動きを推測する必要がなくなる。
【０００９】
また、この映像信号処理装置は、前記記憶器に記憶されている既撮像映像信号を記録媒体に記録する記録器をさらに備えており、前記制御器は、前記既撮像映像信号を、前記記憶器から読み出して前記記録器において前記記録媒体に記録する制御をさらに行うものであるのが好ましく、そうすれば、つなぎ撮りの回数が減り、トラックやせによる再生不良が軽減できる。さらには、記憶器に格納した状態において簡単な編集をした後、記録媒体に記録することができるようになり、これにより、撮影者により認可された既撮像映像信号だけを選択的、効率的、かつトラックやせの少ない状態で記録媒体に記録することが可能となる。
【００１０】
記憶器は、半導体記憶装置から構成できるほか、ハードディスク装置やＩＣメモリカードを用いた記録再生装置から構成することができる。選択器は半導体スッチから構成することができるほか、機械的な継電器から構成することもできる。表示器はＣＲＴでも液晶表示装置でもよく、特にその構成は限定されない。制御器はマイクロコンピュータから構成することができる。撮影器はＣＣＤ、撮像管、ＣＭＯＳイメージセンサ等を用いた撮像装置から構成することができる。
【００１１】
【発明の実施の形態】
図１は、本実施形態に係る映像信号処理装置１の構成を示すブロック図である。この映像信号処理装置１はカメラ一体型のビデオテープレコーダである。
【００１２】
映像信号処理装置１は、撮像器の一例としての光電変換器１０と、信号処理回路２０と、シャフリング回路３０と、圧縮処理回路４０と、誤り訂正符号付加回路５０と、記録／再生器６０と、記録媒体の一例としてのビデオテープ７０と、誤り訂正回路８０と、伸張処理回路１２０と、選択器の一例としての切り換えスイッチ１４０と、表示器の一例としてのモニタ表示器１５０と、制御器の一例としてのマイクロコンピュータ１６０と、操作器１７０とを備えている。
【００１３】
光電変換器１０は図示しないレンズやＣＣＤなどから構成されている。光電変換器１０は連続的な撮影操作ないし間欠的な撮像操作により得られる映像信号を信号処理回路２０に出力する。以下、光電変換器１０から出力される映像信号を現撮像映像信号という。
【００１４】
信号処理回路２０は、光電変換器１０から出力された現撮像映像信号に対してディジタル処理等の処理を施してシャフリング回路３０や切り換えスイッチ１４０に出力する。
【００１５】
シャフリング回路３０は、簡単な回路で圧縮レートを一定に保つ等のために、現撮像映像信号を所定のブロック毎にそれぞれシャッフリング処理する。シャフリング回路３０はシャフリング処理した映像信号を圧縮処理回路４０に出力する。
【００１６】
圧縮処理回路４０は、シャッフリング処理された現撮像映像信号を圧縮符号化処理する。圧縮処理回路４０は圧縮処理した映像信号を誤り訂正符号付加回路５０に出力する。
【００１７】
本実施形態では、圧縮処理回路４０による現撮像映像信号の画像圧縮方式としてＤＶ方式を採用している。ＤＶ方式はフレーム内符号化によるＩピクチャーのみによって圧縮方式が構成されている。圧縮処理回路４０は、圧縮符号化によって現撮像映像信号のデータ量を約１／５に圧縮する。
【００１８】
誤り訂正符号付与回路５０は、圧縮処理回路４０から供給された現撮像映像信号に誤り訂正符号を付加したのち、記録／再生器６０もしくは伸張処理回路１２０に出力する。
【００１９】
誤り訂正符号付加回路５０は、デシャッフル部、Error  Correction  Code部（以下、ＥＣＣ部という）、ライトアドレス発生部、リードアドレス発生部などを備えて構成されている。これら各部については図示を省略している。誤り訂正符号付加回路５０は図示省略した各部の他に半導体記憶装置からなるメモリ５１を備えている。メモリ５１は記憶器の一例である。
【００２０】
デシャッフル部は、圧縮処理された現撮像映像信号をデシャッフリング処理する。ＥＣＣ部は、圧縮処理とデシャッフリング処理とが施された現撮像映像信号にアウターパリティを付加する。ＥＣＣ部はアウターパリティを付加した現撮像映像信号をメモリ５１に記憶させる。さらにＥＣＣ部は、アウターパリティが付加された映像信号をメモリ５１から読み出して記録／再生器６０や伸張処理回路１２０に出力する。ＥＣＣ部は、映像信号をメモリ５１から読み出す際にインナーパリティを付加する。メモリ５１に記憶している映像信号を、以下、既撮像映像信号という。
【００２１】
メモリ５１は、複数フレーム（例えば３０フレーム）分の映像信号を順次記憶する記憶領域を有している。したがって、メモリ５１は、比較的大容量（例えば、数百メガバイト）の記憶領域を有している。ライトアドレス発生部とリードアドレス発生部とは、ＥＣＣ部によるアウターパリティとインナーパリティとの付加処理の際に、インターレースの奇フレームおよび偶フレームを１ペアとして異なるアドレスを発生させる。したがって、誤り訂正符号付加回路５０では、メモリ５１を、フレーム画像保持用のメモリとして用いることができる。これにより、誤り訂正符号付加回路５０では、複数フレーム（例えば、３０フレーム）分の映像信号がメモリ５１に常時更新書き込み処理されたうえで、メモリ５１から常時読み出し処理される。メモリ５１は、映像信号の出力先を記録／再生器６０と伸張処理回路１２０とのいずれか一方に切り換えることができる。
【００２２】
記録／再生器６０は、入力される既撮像映像信号をビデオテープ７０に記録し、ビデオテープ７０に記録された映像信号を再生する。記録／再生器６０は、図示はしないが、既撮像映像信号を変調処理する変調回路、磁気ヘッドを有する記録ドラム、記録ドラムを回転させる回転モータ、回転モータの回転数等をサーボ処理するサーボ回路などを備えている。このような構成を備えて記録／再生器６０は、アウターパリティおよびインナーパリティといった誤り訂正符号が付加された既撮像映像信号を順次ビデオテープ７０に連続的に記録し、さらに再生する。
【００２３】
誤り訂正回路８０は、記録／再生器６０で再生された再生映像信号の誤りを、再生映像信号に添付された誤り訂正符号に基づいて訂正する。
【００２４】
伸張処理回路１２０は、メモリ５１から読み出される既撮像映像信号もしくは、誤り訂正回路８０から出力される再生映像信号（ビデオテープ再生信号）をそれぞれ伸張処理する。伸張処理回路１２０は伸張処理した既撮像映像信号や再生映像信号を切り換えスイッチ１４０に出力する。
【００２５】
切り換えスイッチ１４０は、伸張処理回路１２０から出力される映像信号（既撮像映像信号または再生映像信号）と、信号処理回路２０から出力される現撮像映像信号とを択一的に選択してモニタ表示器１５０に出力する。モニタ表示器１５０は、入力された映像信号から映像を作成して表示する。
【００２６】
マイクロコンピュータ１６０は、操作器１７０に対して撮影者が実施する入力操作に基づいて、メモリ５１への現撮像映像信号の書き込みおよびメモリ５１に記憶された既撮像映像信号の読み出しを制御する。また、マイクロコンピュータ１６０は、切り換えスイッチ１４０の択一的な選択を制御する。
【００２７】
次に、この映像信号処理装置１を用いた撮影操作における特徴となる動作を図２、図３を参照して説明する。これらの図においては、信号処理回路２０の出力は現撮像映像信号に相当する。また、伸張処理回路１２０の出力は既撮像映像信号に相当する。マイクロコンピュータ１６０から切り換えスイッチ１４０に供給される選択信号において、レベル０は信号処理回路２０の出力（現撮像映像信号）の選択に対応し、レベル１は伸張処理回路１２０の出力（既撮像映像信号）の選択に対応する。
【００２８】
この映像信号処理装置１を用いた撮影操作においては、まず各フレーム時間位置毎の被写体のポーズを被写体で具現化する。ポーズの具現化は粘土細工などの成形により成形担当者が行う。具現化した各フレーム時間位置毎の被写体のポーズを映像信号処理装置１にて撮影する。撮像して得られた映像信号を１フレーム分毎にメモリ５１に格納する。以下、このような撮影記録をフレーム撮影仮記録という。
【００２９】
複数回のフレーム撮影仮記録が実施されると、メモリ５１には時間的に連続する既撮像映像信号の塊（以下、このような塊を既撮像映像信号群（既１〜既ｎ）という）が格納される。既撮影映像信号群（既１〜既ｎ）をメモリ５１に格納したのち、その信号を読み出してモニタ表示器１５０に表示する。そのとき、切り換えスイッチ１４０は伸張処理回路１２０の出力を選択する。モニタ表示器１５０に表示した既撮影映像信号群の映像を撮影者が確認する。確認の結果、被写体の動きが不完全であると撮影者が判断する場合がある。
【００３０】
この場合、既撮像映像信号群においてその時間的に中間に位置する既撮影映像信号（図２ではその例として既撮像映像信号（既４））に対して変更（置き換え）を実施することで上記動きの不完全さが解消できる場合がある。撮影者がそのように考えた場合には、次のような操作が実施される。
【００３１】
撮影者はマイクロコンピュータ１６０に信号変更の意思を知らせる。このとき、同時に変更したい既撮像映像信号（既４）のフレーム位置をマイクロコンピュータ１６０に知らせる。これらの意思の伝達は操作器１７０に対する入力により行われる。
【００３２】
この状態で撮影者は、変更したい既撮像映像信号（既４）に替る映像を撮影する。すると、その撮影によって光電変換器１０で得られた現撮像映像信号（現４）は、信号処理回路２０から切り換えスイッチ１４０に出力される。このとき、切り換えスイッチ１４０は、マイクロコンピュータ１６０からの指示により信号処理回路２０の出力を選択する状態としておく。すると、モニタ表示器１５０には、変更用の現撮像映像信号（現４）の画像が表示される。したがって、撮影者は変更用の現撮像映像信号（現４）の画像を確認できる。
【００３３】
この状態で撮影者がプレビュ表示の実施指示を操作器１７０に入力する。この指示を受けたマイクロコンピュータ１６０はメモリ５１から既撮像映像信号群（既１〜既ｎ）を読み出す指示を誤り訂正符号付加回路５０に出力する。マイクロコンピュータ１６０からこの指示を受けた誤り訂正符号付加回路５０は、メモリ５１から既撮像映像信号群（既１〜既ｎ）を読み出す。読み出された既撮像映像信号群（既１〜既ｎ）は伸張処理回路１２０で伸張処理されたのち、切り換えスイッチ１４０に入力される。
【００３４】
このとき、切り換えスイッチ１４０には、次の切り換え指示がマイクロコンピュータ１６０から供給されている。すなわち、この指示は、変更したい既撮像映像信号（既４）のフレーム時間位置においてのみ信号処理回路２０の出力（現撮像映像信号（現４））を選択する指示である。そして、それ以外のフレーム時間位置においては、伸張処理回路１２０の出力（既撮像映像信号群（既１〜既ｎ））を選択する指示である。
【００３５】
この指示に基づいて切り換えスイッチ１４０は既撮像映像信号群（既１〜既ｎ）と現撮像映像信号（現４）とを切り換えてモニタ表示器１５０に出力する。モニタ表示器１５０には、次の映像が表示される。すなわち、撮影者により変更が指示されたフレーム時間位置には現撮像映像信号（現４）による映像が表示器１５０に表示され、それ以外のフレーム時間位置には既撮像映像信号群（既１〜既ｎ）による映像がモニタ表示器１５０に表示される。したがって、モニタ表示器１５０には、変更したいフレーム時間位置のみ現撮像映像信号（現４）で差し替えられた既撮像映像信号群（既１〜既ｎ）の映像が表示される。撮影者は一部変更されたその映像を目視することで、映像の動きを確認できる。
【００３６】
モニタ表示器１５０の表示を目視して、一部変更された映像の動きに不完全さがないと撮影者が認めると、撮影者は、操作器１７０に記録指示を入力する。操作器１７０に対して記録指示が入力されると、マイクロコンピュータ１６０は、誤り訂正符号付加回路５０に対して記録指示を出力する。この記録指示を受けた誤り訂正符号付加回路５０は、メモリ５１に記録されている既撮像映像信号群（既１〜既ｎ）のうち、変更したいフレーム時間位置の既撮像映像信号（既４）だけを現撮像映像信号（現４）に更新する処理を実施する。
【００３７】
既撮像映像信号群（既１〜既ｎ）の時間的に最後尾の位置に現撮像映像信号（現ｎ＋１）を追加したい場合においても、図３に示すように、基本的には上述した処理と同様の処理が行われる。すなわち、１回以上のフレーム撮影仮記録により作成した既撮影映像信号群をメモリ５１に格納したのち、既撮像映像信号群（既１〜既ｎ）においてその時間的に最後尾に位置する既撮像映像信号（既ｎ）に対して時間的に続きとなる映像信号を追加する場合には次のような操作が実施される。
【００３８】
撮影者はマイクロコンピュータ１６０に映像信号追加の意思を知らせる。意思の伝達は操作器１７０に対する入力により行う。
【００３９】
この状態で撮影者は、追加したい映像を撮影する。すると、その撮影によって光電変換器１０で得られた現撮像映像信号（現ｎ＋１）は、信号処理回路２０から切り換えスイッチ１４０に出力される。このとき、切り換えスイッチ１４０は、マイクロコンピュータ１６０からの指示により信号処理回路２０の出力を選択する状態としておく。すると、モニタ表示器１５０には、追加用の現撮像映像信号（ｎ＋１）の画像が表示される。したがって、撮影者は変更用の現撮像映像信号（ｎ＋１）の画像を確認できる。
【００４０】
この状態で撮影者がプレビュ表示の実施指示を操作器１７０に入力する。この指示を受けたマイクロコンピュータ１６０はメモリ５１から既撮像映像信号群（既１〜既ｎ）を読み出す指示を誤り訂正符号付加回路５０に出力する。マイクロコンピュータ１６０からこの指示を受けた誤り訂正符号付加回路５０は、メモリ５１から既撮像映像信号群（既１〜既ｎ）を読み出す。読み出された既撮像映像信号群（既１〜既ｎ）は伸張処理回路１２０で伸張処理されたのち、切り換えスイッチ１４０に入力される。
【００４１】
このとき、切り換えスイッチ１４０には、次の切り換え指示がマイクロコンピュータ１６０から供給されている。すなわち、この指示は、既撮像映像信号群（既１〜既ｎ）のフレーム時間が過ぎた後においてのみ信号処理回路２０の出力（現撮像映像信号（現ｎ＋１））を選択する指示である。そして、それ以外のフレーム時間位置においては、伸張処理回路１２０の出力（既撮像映像信号群（既既１〜既ｎ））を選択する指示である。
【００４２】
この指示に基づいて切り換えスイッチ１４０は既撮像映像信号群（既１〜既ｎ）と現撮像映像信号（現ｎ＋１）とを切り換えてモニタ表示器１５０に出力する。モニタ表示器１５０には、次の映像が表示される。すなわち、既撮影映像信号群（既１〜既ｎ）による映像がモニタ表示器１５０に表示されたのち、現撮像映像信号（現ｎ＋１）による映像がモニタ表示器１５０に連続的に表示される。撮影者は、現撮像映像信号（ｎ＋１）による映像が最後に追加されたその映像を目視することで、映像の動きを確認できる。
【００４３】
なお、切り換えスイッチ１４０による既撮像映像信号群（既１〜既ｎ）と現撮像映像信号（現ｎ＋１）との切り換え間隔はマイクロコンピュータ１６０により任意に設定することができる。切り換え間隔は、例えば、モニタ表示器１５０により表示される映像がチラツキのない状態となるように設定すればよい。
【００４４】
モニタ表示器１５０の表示を目視して、追加された映像の動きに不完全さがないと撮影者が認めると、撮影者は、操作器１７０に記録指示を入力する。操作器１７０に対して記録指示が入力されると、マイクロコンピュータ１６０は、誤り訂正符号付加回路５０に対して記録指示を出力する。この記録指示を受けた誤り訂正符号付加回路５０は、メモリ５１に記録されている既撮像映像信号群（既１〜既ｎ）の最後尾に現撮像映像信号（ｎ＋１）を追加記録する処理を実施する。
【００４５】
以上のようにして既撮像映像信号群（既１〜既ｎ）の中間部において現撮像映像信号（例えば、信号（現４））を差し替え記録したり、既撮像映像信号群（既１〜既ｎ）の最後尾において現撮像映像信号（現ｎ＋１）を追加記録する。一方、撮影者によって上記現撮像映像信号（現４）や（現ｎ＋１）が不認可と判定された場合（その入力は操作器１７０を介して行われる）には、マイクロコンピュータ１６０は、現撮像映像信号（現４）や（現ｎ＋１）をメモリ５１に書き込むことなく、廃棄扱いにする。
【００４６】
このように、映像信号処理装置１では、繰り返し撮影によって生成された撮像映像信号をメモリ５１に対して更新書き込みすることが可能となる。しかも、このような更新書き込みにを通じて、複数フレーム分の既撮像映像信号群（例えば、３０フレーム）をメモリ５１に格納することが可能となる。
【００４７】
メモリ５１に対して以上のような記録操作を行うことで映像信号処理装置１は、次のことが可能となる。すなわち、複数回の撮影により得られる映像信号をまとめて一度にビデオテープ７０に記録することができる。これにより、ビデオテープ７０の編集点の削減と、ヘッドの取付誤差やトラッキング誤差に起因するトラックやせの削減とを図って再生信号を良好なものとすることができる。
【００４８】
また、次のような利点もある。すなわち、メモリ５１に一次的に格納された既撮像映像信号群をモニタ表示器１５０に表示することで、既撮像映像信号群の画像と現撮像映像信号の画像との間の動きの方向性と量とを明確に把握することができる。そして、メモリ５１に格納している既撮像映像信号群を、その動きの方向性と量とが精度よく整った状態とすることができる。これにより、撮影者によって良好な動きとして認可された既撮像映像信号群だけをメモリ５１から読み出してビデオテープ７０に記録することができる。このように、映像信号処理装置１では、最終的にビデオテープ７０に記録される表示映像における被写体の動きを、ビデオテープ７０に記録する前において経験と勘とに基づいて推測する必要がなくなる。したがって、動作の連続性が損なわれた映像をビデオテープ７０に記録してしまうといった失敗はほとんど生じなくなる。
【００４９】
アニメーション撮影のような特殊撮影により１フレーム分の映像を個別に撮影する場合においては、この映像信号処理装置１が実施する記録制御は非常に有効なものとなる。
【００５０】
本発明の内容が、上述の実施の形態に限定されないのは勿論であり、以下のような実施形態が考えられる。
【００５１】
上述した実施形態では、更新／追加信号に対してその動きの連続性に撮影者の認可が出たのち、メモリ５１に書き込み処理を実施していた。しかしながら、更新／追加信号が入力された直後において、その信号をメモリ５１に書き込む処理を実施してもよい。その場合、メモリ記録後に更新／追加信号に対してその動きの連続性に撮影者の認可が出た場合には、メモリ５１に対する更新／追加信号の記録を維持する。一方、撮影の許可が出なかった場合には、更新／追加信号を新たに作成する。
【００５２】
上述した実施形態では、基本的に、１フレーム分の現撮像映像信号を、既撮像映像信号群に対応付けて再度メモリ５１に格納する操作を前提にして、本発明を説明した。しかしながら、光電変換器１０により複数フレーム分の映像信号を撮像することで得られる現撮像映像信号群を、メモリ５１に記憶している既撮像映像信号群に対応付けて再度メモリ５１に格納する操作を実施する映像信号処理装置においても本発明を実施できる。
【００５３】
上述した実施形態では既撮像映像信号群を誤り訂正符号付加回路５０のメモリ５１に記憶させるようにしたが、フレーム画像記憶用として専用のメモリを別途設けるようにしてもよい。この専用メモリの場合には、例えば圧縮処理回路４０と誤り訂正符号付加回路５０との間に配設するのが好ましい。その場合には、専用メモリから読み出したフレーム画像の映像信号を伸張処理回路１２０に出力すればよい。
【００５４】
また、上述した実施形態では映像信号処理装置１をカメラ一体型のビデオテープレコーダとして説明したが、図４に示すように、映像信号処理装置１から光電変換器１０を分離したカメラ別体型の映像信号処理装置２００において本発明を実施することができる。映像信号処理装置２００の場合、現撮影映像信号は外部のビデオカメラ装置から外部入力として映像信号処理装置２００に入力される。この点において映像信号処理装置２００は映像信号処理装置１と異なる信号処理となる。しかしながら、それ以外の信号処理においては映像信号処理装置２００は映像信号処理装置１と同様となる。
【００５５】
また、図５に示すように、映像信号処理装置１から記録／再生器６０を分離したビデオカメラ３００において本発明を実施することができる。ビデオカメラ３００の場合、メモリ５１に格納されている既撮像映像信号は、メモリ５１から外部の記録／再生装置に向けて出力される。この点においてはビデオカメラ３００は映像信号処理装置１と異なる信号処理となる。しかしながら、それ以外の信号処理においてはビデオカメラ３００は映像信号処理装置１と同様となる。
【００５６】
また、図６に示すように、映像信号処理装置１から光電変換器１０と記録／再生器６０とを分離した映像信号処理装置４００において本発明を実施することができる。映像信号処理装置４００の場合、現撮影映像信号は外部のビデオカメラ装置から映像信号処理装置４００に入力される。また、メモリ５１に格納されている既撮像映像信号は、メモリ５１から外部の記録／再生装置に向けて出力される。この点において映像信号処理装置４００は映像信号処理装置１と異なる信号処理となる。しかしながら、それ以外の信号処理においては映像信号処理装置４００は映像信号処理装置１と同様となる。
【００５７】
また、上述した各実施形態では、選択器の一例である切り換えスイッチ１４０を備えて本発明の映像信号処理装置１、２００、４００やビデオカメラ３００を構成していた。しかしながら、図７に示す映像信号処理装置５００や図８に示す映像信号処理装置６００や図９に示すビデオカメラ７００のように、切り換えスイッチ１４０（選択器）に替えて加算器１４０'を設けてもよい。ただし、これらの映像信号処理装置５００、６００やビデオカメラ７００においては、回路上、加算器１４０'は切り換えスイッチ１４０と同等位置に配置される。
【００５８】
このように構成すれば次のような利点がある。すなわち、既撮影映像信号と現撮影映像信号とを加算器１４０'において任意の加算率で加算したうえで、モニタ表示器１５０に表示することでできる。そうすれば、モニタ表示器１５０の単一表示画面（静止画）上において、既撮影映像信号と現撮影映像信号とを互いに重ね合わせた合成静止画像にして表示することができる。これにより、さらに効率よくアニメーション撮影作業を行うことができる。
【００５９】
また、上記実施形態では、映像信号を圧縮して記録する映像信号処理装置において、本発明を説明したが、非圧縮のまま記録する映像信号処理装置でも本発明は実施できる。例えば、ＥＣＣ部分のメモリを使って本発明を構成し、これによって上述したのと同様の効果を得ることもできる。
【００６０】
また、上記実施形態では記録媒体としてビデオテープ７０を用いていたが、記録媒体はこれに限るものではなく、種々のものが実施可能である。例えば、ハードディスク装置、光ディスク装置といったノンリニアに映像信号を記録することができる装置においても本発明を実施できる。
【００６１】
【発明の効果】
以上のように本発明に係る映像信号処理装置によれば、簡単にかつ精度良くアニメーション撮影等の特殊撮影を行うことができる。また、撮り直しや加工編集による複雑な作業も必要なくなるため、その分作業効率を向上させることができる。また、加工編集を必要としなくなるため、それらの作業等に要する装置も必要なくなる。また、画質劣化の原因となる編集を行う必要が無くなるため、映像信号を良好な画質状態のままで記録媒体に記録することが可能となる。
【図面の簡単な説明】
【図１】本発明の一実施の形態に係る映像信号処理装置の構成を示すブロック図である。
【図２】実施形態の具体例の説明に供するタイムチャートである。
【図３】実施の形態のもう一つの具体例の説明に供するタイムチャートである。
【図４】本発明の他の実施の形態に係る映像信号処理装置の構成を示すブロック図である。
【図５】本発明のさらに他の実施の形態に係るビデオカメラの構成を示すブロック図である。
【図６】本発明のさらに他の実施の形態に係る映像信号処理装置の構成を示すブロック図である。
【図７】本発明のさらに他の実施の形態に係る映像信号処理装置の構成を示すブロック図である。
【図８】本発明のさらに他の実施の形態に係る映像信号処理装置の構成を示すブロック図である。
【図９】本発明のさらに他の実施の形態に係るビデオカメラの構成を示すブロック図である。
【符号の説明】
１  映像信号処理装置      １０  光電変換器   ２０  信号処理回路
３０  シャフリング回路      ４０  映像信号圧縮処理回路
５０  誤り訂正符号付加回路  ５１  メモリ     ６０  記録／再生器
７０  ビデオテープ          ８０  誤り訂正回路
１２０ 映像信号伸張処理回路 １４０ 切り換えスイッチ
１５０ モニタ表示装置       １６０ マイクロコンピュータ
１７０ 操作器
【図１】
0003964330.tif 000002
【図２】
0003964330.tif 000003
【図３】
0003964330.tif 000004
【図４】
0003964330.tif 000005
【図５】
0003964330.tif 000006
【図６】
0003964330.tif 000007
【図７】
0003964330.tif 000008
【図８】
0003964330.tif 000009
【図９】
0003964330.tif 000010